(57)【要約】【課題】プラズマディスプレイパネルを流れる駆動電流に起因する電磁妨害波を低減することができるプラズマディスプレイ装置を提供すること。【解決手段】矩形形状の表示面を有するプラズマディスプレイパネルと、前記プラズマディスプレイパネルの表示面側に設けられ、前記プラズマディスプレイパネルの表示面と略同形状の矩形形状を有する導電性フィルタと、前記導電性フィルタの端部と接続され、前記プラズマディスプレイパネルを背面側から囲む金属筐体と、前記導電性フィルタ上において矩形形状の短手方向に延在して設けられ、前記金属筐体と両端が接続する導体配線部と、を備える、構成とする。【選択図】図１
2011059367.tif 000002
【特許請求の範囲】
【請求項１】
矩形形状の表示面を有するプラズマディスプレイパネルと、
前記プラズマディスプレイパネルの表示面側に設けられ、前記プラズマディスプレイパネルの表示面と略同形状の矩形形状を有する導電性フィルタと、
前記導電性フィルタの端部と接続され、前記プラズマディスプレイパネルを背面側から囲む金属筐体と、
前記導電性フィルタ上において矩形形状の短手方向に延在して設けられ、前記金属筐体と両端が接続する導体配線部と、を備える、
プラズマディスプレイ装置。
【請求項２】
矩形形状の表示面を有するプラズマディスプレイパネルと、
前記プラズマディスプレイパネルの表示面側に設けられ、前記プラズマディスプレイパネルの表示面と略同形状の矩形形状を有する導電性フィルタと、
前記導電性フィルタの端部と接続され、前記プラズマディスプレイパネルを背面側から囲む金属筐体と、
前記プラズマディスプレイパネルの表示面上において矩形形状の短手方向に延在して設けられ、前記金属筐体と両端が接続する導体配線部と、を有する、
プラズマディスプレイ装置。
【請求項３】
前記導電配線部は、
表示面側から見て前記プラズマディスプレイパネルが有する放電セルと放電セルの間に位置するように配線されている、
請求項１又は２記載のプラズマディスプレイ装置。
【請求項４】
前記導電配線部が複数本からなる、
請求項３記載のプラズマディスプレイ装置。
【発明の詳細な説明】
【技術分野】
【０００１】
本発明は、大画面で薄型のディスプレイ装置として知られているプラズマディスプレイ装置に関するものである。
【背景技術】
【０００２】
プラズマディスプレイ（Ｐｌａｓｍａ  ｄｉｓｐｌａｙ）装置やＣＲＴディスプレイ（Ｃａｔｈｏｄｅ−Ｒａｙ  Ｔｕｂｅ  ｄｉｓｐｌａｙ）装置などの自発光型ディスプレイ装置は、視野角の依存性が無く自然な映像が得られることから広く使用されている。特にプラズマディスプレイ装置は、薄型であり、かつ大画面を構成するのに最適であることから、急速に普及が進んでいる。
【０００３】
プラズマディスプレイ装置は、主としてプラズマディスプレイパネルを有するプラズマディスプレイモジュール部とそのモジュールを囲むシールド筐体によって構成されている。
【０００４】
このプラズマディスプレイパネルは、ガス放電により発生した紫外線によって各放電セルに設けられた蛍光体を励起して可視光を発生させて表示光とするディスプレイであり、複数の電極（表示電極対およびアドレス電極）が格子状に配列され、各電極の交差部となる放電セルを選択的に発光させることにより画像を形成する。この原理により、電極には駆動のための大きな電流が流れるため、プラズマディスプレイモジュールからはこの電流によって電磁界が発生する。
【０００５】
発生する電磁界をシールドするためのシールド筐体は、例えば、導電性のフィルタの貼り付けられた前面ガラスと、背面側の導電性バックカバーとを、導電性の部材で接続して、プラズマディスプレイモジュールを囲む構成をとり、発生する電磁界を電磁気的に遮蔽している。
【０００６】
しかし、近年の高画質化に伴う駆動電力の増加等により、従来のシールド筐体の構成では確実に電磁界を低減することが困難になってきており、ノイズとして外部に放射してしまうという課題があった。
【０００７】
このような課題に対し、プラズマディスプレイ装置の表示面より出射側にコイルを設け、プラズマディスプレイ装置が発生する電磁界によりコイルに電磁誘導電流が生じて、上記の電磁界を打ち消すようにしたものが提案されている（例えば、特許文献１参照）。
【０００８】
また、駆動源と負荷回路との間の閉じた電流経路が少なくとも２つのループ形状経路を形成するようにし、各ループ形状回路で生じる磁界を互いに打ち消しあうプラズマディスプレイ装置も提案されている（例えば、特許文献２参照）。
【０００９】
また、プラズマディスプレイパネルを保持するシャーシ導体をバックカバーに接続して駆動回路基板を囲んでシールドする構成としたプラズマディスプレイ装置も提案されている（例えば、特許文献３参照）。
【先行技術文献】
【特許文献】
【００１０】
【特許文献１】特開２００２−２５８７９０号公報
【特許文献２】特開２００５−２２１７９７号公報
【特許文献３】特開平１０−２８２８９６号公報
【発明の概要】
【発明が解決しようとする課題】
【００１１】
しかしながら、特許文献１に記載のプラズマディスプレイ装置においては、表示窓の部分となる導電性のフィルタがシールド筐体を形成する部材の中では導電率が低いため電磁シールドが弱い部分ができてしまい、特定の周波数に対して共振し、不要輻射ノイズレベルが大きくなってしまうという問題に対しては、表示面より出射側に設けたコイルが表示面の表示窓の外側に配置されるため、表示窓の大きさに起因して電気的に共振する成分による不要輻射ノイズに対しては、その効果が十分には得られ難いという課題がある。
【００１２】
また、特許文献２のプラズマディスプレイ装置においては、駆動電流の経路自体が延長されるため、駆動信号波形等の調整が必要になるとともに、２つのループ形状で生じる電磁界を完全に打ち消すように構成するのが難しく、十分な低減効果が得ることが困難であるという課題がある。
【００１３】
また、特許文献３のプラズマディスプレイ装置においては、駆動回路基板自体はシールド効果が増すものの、プラズマディスプレイパネルとシャーシ導体間に流れる電流により発生する電磁界は十分に低減することはできないという課題がある。
【００１４】
本発明は上記課題に鑑みてなされたものであり、プラズマディスプレイパネルを流れる駆動電流に起因する電磁妨害波を低減することができるプラズマディスプレイ装置を提供することを目的とする。
【課題を解決するための手段】
【００１５】
上記目的は以下のプラズマディスプレイ装置により達成できる。当該課題を解決するためのプラズマディスプレイ装置は、矩形形状の表示面を有するプラズマディスプレイパネルと、前記プラズマディスプレイパネルの表示面側に設けられ、前記プラズマディスプレイパネルの表示面と略同形状の矩形形状を有する導電性フィルタと、前記導電性フィルタの端部と接続され、前記プラズマディスプレイパネルを背面側から囲む金属筐体と、前記導電性フィルタ上において矩形形状の短手方向に延在して設けられ、前記金属筐体と両端が接続する導体配線部と、を備えている。
【発明の効果】
【００１６】
本発明によるプラズマディスプレイ装置によれば、導電率が低い導電性のフィルタの共振周波数を駆動信号の高調波レベルが小さくなる高周波領域に追いやることができるので、駆動電流に起因する電磁妨害波を効率的に低減することができるプラズマディスプレイ装置を提供することができる。
【図面の簡単な説明】
【００１７】
【図１】本発明の実施の形態１に係るプラズマディスプレイ装置の構成を説明するための横断面概略図
【図２】プラズマディスプレイモジュールの構成を説明するための斜視図
【図３】実施の形態１のプラズマディスプレイ装置における導電性前面フィルタの導体配線部を説明するための斜視図
【図４】（ａ）実施の形態１に係るプラズマディスプレイ装置におけるプラズマディスプレイパネルの電極構造を説明するための斜視図、（ｂ）実施の形態１に係るプラズマディスプレイ装置におけるプラズマディスプレイパネルの電極構造を説明するための断面図
【図５】導電性前面フィルタの構造を説明するための斜視図
【図６】パネル駆動電流による電磁妨害波の不要輻射が低減される原理を示す説明図
【図７】実施の形態１に係るプラズマディスプレイ装置の第１変形例におけるプラズマディスプレイパネルの横断面概略図
【図８】（ａ）実施の形態１に係るプラズマディスプレイ装置の第１変形例におけるプラズマディスプレイパネルの電極構造を説明するための斜視図、（ｂ）実施の形態１に係るプラズマディスプレイ装置の第１変形例におけるプラズマディスプレイパネルの電極構造を説明するための断面図
【図９】実施の形態１に係るプラズマディスプレイ装置の第２変形例における導電性前面フィルタの導体配線部を説明するための斜視図
【発明を実施するための形態】
【００１８】
以下、プラズマディスプレイ装置等の実施形態について図面を参照して説明する。なお、実施の形態において同様の動作を行う構成要素に同じ符号を付し、再度の説明を省略する場合がある。
【００１９】
（実施の形態１）
図１から図５は、実施の形態１に係るプラズマディスプレイ装置を示している。図１はこの発明の実施の形態１に係るプラズマディスプレイ装置の構成を説明するための横断面概略図であり、実施の形態としての不要電磁波輻射に深く関連する構造物のみを示している。図２は実施の形態１に係るプラズマディスプレイ装置におけるプラズマディスプレイモジュールの構成を説明するための斜視図、図３は実施の形態１のプラズマディスプレイ装置における導電性前面フィルタの導体配線部を説明するための斜視図、図４（ａ）は実施の形態１に係るプラズマディスプレイ装置におけるプラズマディスプレイパネルの電極構造を説明するための斜視図、図４（ｂ）はその断面図、図５は実施の形態１のプラズマディスプレイ装置における導電性前面フィルタの構造を説明するための斜視図である。
【００２０】
図１から３において、本発明の実施の形態１に係るプラズマディスプレイ装置１におけるプラズマディスプレイモジュール２は、長手方向に平行な走査・維持電極１４および短手方向に平行なアドレス電極１５を有するプラズマディスプレイパネル１０の非表示面側に、プラズマディスプレイパネル１０の保持板であるシャーシ導体１１が熱伝導シート（図示せず）を介して配置されている。
【００２１】
走査・維持電極用駆動回路基板１２ａ、アドレス電極用駆動回路基板１２ｂ、中継回路基板１２ｃ、放電制御回路基板１２ｄは、シャーシ導体１１の背面側に配置されている。走査・維持電極１４では、走査・維持電極用駆動回路基板１２ａから発生した駆動信号は、フレキシブルケーブル１３ａによってプラズマディスプレイパネル１０の走査・維持電極１４に伝えられる。アドレス電極１５では、放電制御回路基板１２ｄで発生した高周波信号が、フレキシブルケーブル１３ｄによって中継回路基板１２ｃに伝えられる。中継回路基板１２ｃに伝えられた高周波信号は、フレキシブルケーブル１３ｃによってアドレス電極用駆動回路基板１２ｂに伝えられる。アドレス電極用駆動回路基板１２ｂでは、駆動信号が発生して、フレキシブルケーブル１３ｂによってプラズマディスプレイパネル１０のアドレス電極１５に伝えられる。
【００２２】
プラズマディスプレイモジュール２の外側にはこれを囲む形でバックカバー１６、ガラス押さえ金具１７、前面ガラス１８、前面キャビネット１９、導電性前面フィルタ２０、導電性ガスケット２１によってシールド筐体が構成される。
【００２３】
導電性前面フィルタ２０の表面には、金属細線からなる導体配線部１０８が形成されている。
【００２４】
プラズマディスプレイパネル１０は、図４に示すように、前面ガラス板１０１と背面ガラス板１０２とが貼り合わされる構造となっている。前面ガラス板１０１には誘電体層１０３が形成されて走査電極１４ａと維持電極１４ｂとからなる走査・維持電極１４が誘電体層１０３に保護される形で多数形成される。背面ガラス板１０２にも誘電体層１０３が形成されており、アドレス電極１５が保護される形で多数形成される。
【００２５】
走査・維持電極１４とアドレス電極１５との交差位置で、走査・維持電極１４とアドレス電極１５とに挟まれた部分が放電セル１０４であり、ヘリウム（Ｈｅ）、ネオン（Ｎｅ）、キセノン（Ｘｅ）等の希ガスを含む放電ガスが封入されている。放電セル１０４は、隔壁１０５で区画されて形成される。各放電セル内は、赤、青、緑の蛍光体１０６ａ〜１０６ｃが塗り分けられている。
【００２６】
シャーシ導体１１は、熱伝導率および電気伝導率の高いアルミニウム、銅等の金属板で構成される。シャーシ導体１１は、一方の面（前面）には熱伝導シートを介してプラズマディスプレイパネル１０が取り付けられ、他方の面（背面）には、各駆動回路基板等がシャーシ導体１１と平行になるように取り付けられている。シャーシ導体１１は、各基板のグラウンドと接続されている。このため、シャーシ導体１１はプラズマディスプレイパネル１０や各駆動回路基板等を保持し、これらの強度を保つ強度部材として機能するだけでなく、各駆動回路基板等の電気的なグラウンドとしても機能する。例えば、走査・維持電極用駆動回路基板１２ａのシグナルグラウンドはＡ点で、アドレス電極用駆動回路基板１２ｂのシグナルグラウンドはＢ点で、中継回路基板１２ｃのシグナルグラウンドはＣ点で、放電制御回路基板１２ｄのシグナルグラウンドはＤ点で、それぞれフレームグラウンドであるシャーシ導体１１に接地されている。
【００２７】
導電性前面フィルタ２０は、図５に示すように、ポリエステルフィルムなどからなるベース層２０１、ベース層２０１上に銅などの金属メッシュまたはスパッタ形成された導電層２０２、導電層２０２の周縁部に形成された金属端部２０３、透明な絶縁樹脂で導電層２０２上に形成された保護膜２０４、からなる。導電性前面フィルタ２０のシート抵抗値としては、メッシュ状のもので０．１Ω／□以下、スパッタ状のもので数Ω／□〜０．１Ω／□程度となる。金属端部２０３は保護膜２０４で覆われていないので、電気的な接続箇所として機能する。
【００２８】
なお、導電層２０２としては、金属メッシュとして銅メッシュ、スパッタとして銀スパッタなどが用いられる。なお、金属メッシュの方が抵抗率が低いため、高いシールド効果が得られる。
【００２９】
前面ガラス１８は、プラズマディスプレイパネル１０の前面側に配置され、その裏面（表示面と反対側）に導電性前面フィルタ２０が張り付けられている。
【００３０】
ガラス押さえ金具１７は、前面キャビネット１９との間で前面ガラス１８を挟むことで固定するとともに、前面ガラス１８に貼り付けられた導電性前面フィルタ２０の金属端部２０３と導電性ガスケット２１を介して電気的に接触するように配置される。さらには導電性ガスケット２１を介してバックカバー１６とも接触している。
【００３１】
バックカバー１６は、導電性の金属板をプレス成形することにより形成される。バックカバー１６は、プラズマディスプレイパネル１０の背面と各駆動回路基板等を覆うようにガラス押さえ金具１７に固定されており、プラズマディスプレイパネル１０、各駆動回路基板等から放射される電磁波を遮蔽する役割を担っている。
【００３２】
以上のような構成において、図１に点線矢印で示す筒状導体部３が形成するループは、プラズマディスプレイモジュール２において実線矢印で示す駆動電流が形成するループと略平行となっている。
【００３３】
ここで、本実施の形態に係るプラズマディスプレイ装置１において、駆動電流による電磁妨害波の不要輻射が低減される原理および動作について、プラズマディスプレイパネルの動作原理に基づいて説明する。
【００３４】
まず、プラズマディスプレイパネル１０の画像表示原理について説明する。最初に、走査電極１４ａの全ラインに電圧を印加して全部の放電セルで放電を起こす初期化放電を行う。次に、走査電極１４ａに順次電圧を印加するとともに、電圧が印加された走査電極上で発光させたい放電セルと交わるアドレス電極１５にも電圧を印加する。これをアドレス放電といい、電圧が印加された走査電極１４ａとアドレス電極１５とが交わる位置の放電セルが発光し、該放電セルが発光セルとして選択される。その後、走査電極１４ａと維持電極１４ｂとの間に交流電圧を印加する維持放電を行う。維持放電により、先程選択された発光セルのみが発光し、プラズマディスプレイパネルは画像を表示する。
【００３５】
次に、駆動電流による電磁妨害波の不要輻射が低減される原理および動作について図６を参照しながら説明する。図６はパネル駆動電流による電磁妨害波の不要輻射が低減される原理を示す図である。
【００３６】
一般にループ状の電流３０が流れるとき、アンペールの法則によりこのループを形成する平面に対して垂直方向に強い磁界３１が発生する。このループ電流３０を包含するような位置にリング状の導体３２が置かれた場合、電磁誘導効果によりこの導体に逆起電力が生じる。そして、リング状の導体３２にはもとのループ電流３０とは逆方向の電流３３が誘導される。このリング状の導体３２をショートリングと呼ぶ。この誘導された電流３３による発生磁界３４はもとのループ電流による発生磁界３１と逆方向に発生する。そのため、もとの発生磁界３１をキャンセルする効果を持つ。
【００３７】
図１の構成では、走査・維持電極用駆動回路基板１２ａから駆動される駆動電流は、フレキシブルケーブル１３ａ、プラズマディスプレイパネル１０の走査・維持電極１４およびシャーシ導体１１をｘ−ｙ平面に略平行なループ状に流れる。
【００３８】
さらに、ループ状の駆動電流はアンペールの法則により垂直方向（図１ではｚ方向に平行な方向）に磁界を発生させる。
【００３９】
ここで、導電性前面フィルタ２０としてメッシュ状のものに比較して低コストであるスパッタ状のものを使う場合、そのシート抵抗値は数Ω／□〜０．１Ω／□と高くなる。導電性前面フィルタ２０の導電率は、その他のシールド筐体を形成する金属部材の導電率１０7Ｓ／ｍ程度と比較して、極端に低い。そのため電磁シールドに弱い部分ができてしまい、特定の周波数に対して共振する。従来の導電性前面フィルタでは、図３に示す表示窓の横幅Ｌ１に共振し、例えば５０インチサイズでは７０ＭＨｚでシールド効果が弱くなる。
【００４０】
本実施の形態では、導電性前面フィルタ２０の表面に金属細線からなる導体配線部１０８を形成している。そのため、表示窓が電気的には分割され、その横幅はＬ２となる。その結果、共振周波数は高周波領域に追いやられることになる。例えば、表示窓を均等に２分割するように金属細線からなる導体配線部を設けた場合、Ｌ２はＬ１の１／２となるため共振周波数は７０ＭＨｚの２倍の１４０ＭＨｚとなる。駆動信号の高調波成分は、周波数が高くなるほどレベルが小さくなる。そのため、共振周波数が高くなったことで、駆動電流に起因する電磁妨害波を効率的に低減することができる。
【００４１】
次に、実施の形態１の変形例について、図７から９を参照しながら説明する。図７は実施の形態１の第１変形例におけるプラズマディスプレイパネルの装置の構成を説明するための横断面概略図、図８（ａ）は実施の形態１の第１変形例におけるプラズマディスプレイパネルの電極構造を説明するための斜視図、図８（ｂ）はその断面図である。また、図９は実施の形態１の第２変形例におけるプラズマディスプレイ装置における導電性フィルタの導体配線部を説明するための斜視図である。
【００４２】
まず、第１変形例について説明する。第１変形例においては、導体配線部１０８の形成する位置が導電性前面フィルタ２０上ではなく、前面ガラス板１０１の表示面である点で異なっている。そして、図８（ａ）に示すように、導体配線部１０８は、表示セル１０４の表示面側を遮らないように、隔壁１０５の真正面に位置するように配置されている。
【００４３】
このようにすれば、導体配線部１０８は、放電セル１０４から発光される映像光の透過をほぼ遮らずに形成でき、プラズマディスプレイパネルの映像を妨げることを少なくすることができる。
【００４４】
次に、第２変形例について説明する。第２変形例においては、変形前の図３と比較して、導体配線部１０８を形成する本数が多い点で異なっている。
【００４５】
このようにすれば、Ｌ２がさらに短くなり、共振周波数が高くなって、駆動電流に起因する電磁妨害波をさらに効率的に低減することができる。Ｌ２がＬ１の１／４である図９のような例では、共振周波数が７０ＭＨｚの４倍の２８０ＭＨｚとなる。
【００４６】
上記の各実施形態において用いた具体的な数値等は、単に一例を挙げたに過ぎず、表示デバイスの特性や画像表示装置の仕様等に合わせて、適宜最適な値に設定することが可能である。
【００４７】
上述の実施の形態は本発明の一例である。本発明は、以上の実施の形態に限定されることなく、種々の変更が可能であり、それらも本発明の範囲内に包含されるものであることは言うまでもない。
【産業上の利用可能性】
【００４８】
以上のように、本発明にかかるプラズマディスプレイ装置は、プラズマディスプレイパネルを流れる電流により発生する電磁妨害波を効果的に低減可能なプラズマディスプレイ装置等として有用である。
【符号の説明】
【００４９】
１  プラズマディスプレイ装置
２  プラズマディスプレイモジュール
１０  プラズマディスプレイパネル
１１  シャーシ導体
１２ａ  走査・維持電極用駆動回路基板
１２ｂ  アドレス電極用駆動回路基板
１２ｃ  中継回路基板
１２ｄ  放電制御回路基板
１３ａ〜１３ｄ  フレキシブルケーブル
１４  走査・維持電極
１５  アドレス電極
１６  バックカバー
１７  ガラス押さえ金具
１８  前面ガラス
１９  前面キャビネット
２０  導電性前面フィルタ
２１  導電性ガスケット
３０  ループ電流
３１  ループ電流による発生磁界
３２  リング状導体
３３  誘起電流
３４  誘起電流による発生磁界
１０１  前面ガラス板
１０２  背面ガラス板
１０３  誘電体層
１０４  放電セル
１０５  隔壁
１０６ａ〜ｃ  蛍光体
１０８  導体配線部
２０１  ベース層
２０２  導電層
２０３  金属端部
２０４  保護膜
【図１】
2011059367.tif 000003
【図２】
2011059367.tif 000004
【図３】
2011059367.tif 000005
【図４】
2011059367.tif 000006
【図５】
2011059367.tif 000007
【図６】
2011059367.tif 000008
【図７】
2011059367.tif 000009
【図８】
2011059367.tif 000010
【図９】
2011059367.tif 000011